(57)【要約】  少なくとも放送時間とチャンネル番号とを含む番組情報に基づいて、時間軸とチャンネル軸とにより画定される番組セルを有する電子番組表を表示させる番組情報表示装置であって、番組セルの領域に対して、番組の属性と対応し前記属性情報を識別できる色で番組の属性を示す属性表示領域を、番組セルの領域外に配置する制御を行う表示制御部を有することを特徴とする番組情報表示装置である。
2010150689.tif 000002
【特許請求の範囲】
【請求項１】
少なくとも放送時間とチャンネル番号とを含む番組情報に基づいて、時間軸とチャンネル軸とにより画定される番組セルを有する電子番組表を表示させる番組情報表示装置であって、
前記番組セルの領域に対して、番組の属性と対応し前記属性情報を識別できる色で番組の属性を示す属性表示領域を、前記番組セルの領域外に配置する制御を行う表示制御部を有することを特徴とする番組情報表示装置。
【請求項２】
少なくとも放送時間とチャンネル番号とを含む番組情報に基づいて、時間軸とチャンネル軸とにより画定される番組セルを有する電子番組表を表示させる番組情報表示装置であって、
前記番組セルの領域に対して、番組のジャンル情報と対応し前記ジャンル情報を識別できる色で番組のジャンルを示すジャンル表示領域を、前記番組セルの領域外に配置する制御を行う表示制御部を有することを特徴とする番組情報表示装置。
【請求項３】
前記表示制御部は、前記ジャンル表示領域における色表示を、前記番組セルにフォーカスを当てたことを示すフォーカス表示とは独立した表示とすることを特徴とする請求項２に記載の番組情報表示装置。
【請求項４】
前記ジャンル表示領域は、前記時間軸と前記チャンネル軸との少なくともいずれかと重なることを特徴とする請求項２又は３に記載の番組情報表示装置。
【請求項５】
前記ジャンル表示領域は、前記フォーカス領域とは少なくとも一部の領域で重ならないことを特徴とする請求項３又は４に記載の番組情報表示装置。
【請求項６】
前記ジャンル表示領域は時間軸に沿った領域に形成されており、
前記表示制御部は、前記番組セル内に複数の短時間番組が存在する場合において、前記短時間番組のいずれかにフォーカスがあたった場合には、前記番組セルの時間軸幅にわたって前記フォーカスのあたった領域の番組のジャンルを示す色表示がなされることを特徴とする請求項２から５までのいずれか１項に記載の番組表示装置。
【請求項７】
請求項１から６までのいずれか１項に記載の番組表示装置を備えたデジタル放送受信装置。
【請求項８】
少なくとも放送時間とチャンネル番号とを含む番組情報に基づいて、時間軸とチャンネル軸とにより画定される番組セルを有する電子番組表を表示させる番組情報表示方法であって、
前記番組セルの領域に対して、番組のジャンル情報と対応し前記ジャンル情報を識別できる色で番組のジャンルを示すジャンル表示領域を、前記番組セルの領域外に配置する制御を行うことを特徴とする番組情報表示方法。
【請求項９】
請求項８に記載の番組情報表示方法をコンピュータに実行させるためのプログラム。
【発明の詳細な説明】
【技術分野】
【０００１】
本発明は、番組情報表示技術に関する。
【背景技術】
【０００２】
最近では、デジタルテレビジョン受信装置の普及が進み、電子番組表（ＥＰＧ）による番組の確認、予約などが行われている。一般的には、このような番組情報提供サービスにおいて各放送局の番組放送スケジュール情報を、新聞に掲載されている「ラジオ・テレビ欄」と同様の表示方式で一覧表示する機能が搭載されている。【０００３】
この電子番組表の表示機能を用いると、番組検索や、予約録画、予約視聴などの便利な処理が簡単な操作でできるようになっている。番組情報の表示は、時間軸と、この時間軸に垂直なチャンネル軸とにより画定される領域に設けられる表形式によるものである。時間軸は各番組の番組開始時間から番組終了時間までを時間幅としてセルを割当て、受信した番組情報をセル内の記載（表示）している。【０００４】
電子番組表は一覧性が良いという利点があるが、多数のセルから構成されるため、一覧性が余り良くない。そこで、例えば、番組のジャンルを識別できるように表示することで、多数の番組の中から所望の番組（セル）を選択しやすくするような工夫がなされている。このような、電子番組表における番組のジャンル識別、すなわち、セル内の文字やアイコン、背景色をジャンルに応じて色分けすることで、電子番組表における各番組のジャンルの区別が行われている。例えば、下記特許文献１では、電子番組情報装置のジャンル色分けで色分けする領域は、番組名称欄とは独立した色の表示領域を設け、そこに色付け表示をする方法が開示されている（特許文献１の請求項６）。
【先行技術文献】
【特許文献】
【０００５】
【特許文献１】特開平１１−１９６３４３号公報
【発明の概要】
【発明が解決しようとする課題】
【０００６】
しかしながら、上記特許文献１に記載の技術では、特許文献１の図１２にも示されているように、番組名称欄とは独立した色の表示領域の意味は、各番組セル領域の一部を割当てた領域であることがわかる。番組名称の背景に割当てた場合の特許文献１の図１０と特許文献１の図１２を比較すると、番組名称欄とは独立した色の表示領域を設けたことで番組名称を表示するための領域の面積が減ってしまっていることがわかる。また、番組名称欄に独立した色の表示領域を設けた番組セルにカーソル（フォーカス）が当った場合は、その領域はカーソル色で塗りつぶされてしまう可能性がある。このようにカーソルが当たった領域がカーソルの色で塗りつぶされてしまうと、カーソルのあたった状態のセルではその番組ジャンルを識別することが難しくなるという問題がある。【０００７】
本発明は、電子番組表におけるジャンル等の番組の特徴表示の視認性を良くすることを目的とする。
【課題を解決するための手段】
【０００８】
本発明に係る電子番組情報装置のジャンル色分けの表示は、電子番組表の番組セル領域内ではない領域であって、番組セルと隣接する長さの行または列、または、その組み合わせの「溝」にジャンルに割当てた色を割当て行うようにするものである。或いは、電子番組情報装置のジャンル色分けの表示は、各番組セルの一部が番組名称領域とは独立した色の表示領域である場合、カーソルは、番組名称領域とは独立した色の表示領域は重ならないようにする。【０００９】
本発明の一観点によれば、少なくとも放送時間とチャンネル番号とを含む番組情報に基づいて、時間軸とチャンネル軸とにより画定される番組セルを有する電子番組表を表示させる番組情報表示装置であって、前記番組セルの領域に対して、番組の属性と対応し前記属性情報を識別できる色で番組の属性を示す属性表示領域を、前記番組セルの領域外に配置する制御を行う表示制御部を有することを特徴とする番組情報表示装置が提供される。【００１０】
また、少なくとも放送時間とチャンネル番号とを含む番組情報に基づいて、時間軸とチャンネル軸とにより画定される番組セルを有する電子番組表を表示させる番組情報表示装置であって、前記番組セルの領域に対して、番組のジャンル情報と対応し前記ジャンル情報を識別できる色で番組のジャンルを示すジャンル表示領域を、前記番組セルの領域外に配置する制御を行う表示制御部を有することを特徴とする番組情報表示装置が提供される。前記表示制御部は、前記ジャンル表示領域における色表示を、前記番組セルにフォーカスを当てたことを示すフォーカス表示とは独立した表示とすることが好ましい。前記ジャンル表示領域は、前記時間軸と前記チャンネル軸との少なくともいずれかと重なるようにしても良い。また、前記ジャンル表示領域は、前記フォーカス領域とは少なくとも一部の領域で重ならないようにしても良い。前記ジャンル表示領域は時間軸に沿った領域に形成されており、前記表示制御部は、前記番組セル内に複数の短時間番組が存在する場合において、前記短時間番組のいずれかにフォーカスがあたった場合には、前記番組セルの時間軸幅にわたって前記フォーカスのあたった領域の番組のジャンルを示す色表示がなされるようにしても良い。本発明は、上記のいずれかに記載の番組表示装置を備えたデジタル放送受信装置であっても良い。【００１１】
本発明の他の観点によれば、少なくとも放送時間とチャンネル番号とを含む番組情報に基づいて、時間軸とチャンネル軸とにより画定される番組セルを有する電子番組表を表示させる番組情報表示方法であって、前記番組セルの領域に対して、前記ジャンル情報と対応し番組のジャンル情報を識別できる色で番組のジャンルを示すジャンル表示領域を、前記番組セルの領域外に配置する制御を行うことを特徴とする番組情報表示方法が提供される。【００１２】
本発明は、上記に記載の方法をコンピュータに実行させるためのプログラムであっても良い。また、本発明は、当該プログラムを格納するコンピュータ読みとり可能な記録媒体であっても良い。上記プログラムは、インターネットなどの伝送媒体によって取得されるものでも良い。【００１３】
本明細書は本願の優先権の基礎である日本国特許出願２００９−１５０２４９号の明細書および／または図面に記載される内容を包含する。
【発明の効果】
【００１４】
本発明によれば、電子番組表における各番組のジャンルを色で表示する際の色視認性が向上するという利点がある。番組セルにフォーカスが当たった場合においても、ジャンルを示す色表示の視認性に影響を与えないようにすることができる。
【図面の簡単な説明】
【００１５】
【図１】本発明の一実施の形態による番組情報表示装置を備えたテレビジョン受信装置の一構成例を示す機能ブロック図である。
【図２】図１に示すリモコン装置の一例を示す図である。
【図３Ａ】本発明の一実施の形態による電子番組表の表示例を示す図である。
【図３Ｂ】図３Ｂ（ａ）は、番組セルに対してジャンル表示領域を表示させた場合の番組セルとジャンル表示領域との関係を示す図であり、図３Ｂ（ｂ）は、色によるジャンル表示の例を示す図である。
【図４】本発明の一実施の形態による電子番組表におけるセル毎のジャンル表示例とフォーカスが当たった様子を示す図である。
【図５】本発明の一実施の形態による電子番組表におけるジャンル表示例の変形例示す図である。
【図６】本発明の一実施の形態による電子番組表におけるジャンル表示例とフォーカス表示との重なり例を示す図である。
【図７】本実施の形態による電子番組表の表示処理の流れを示す図である。
【符号の説明】
【００１６】
１…フロントエンド、３…デマルチプレクサ、５…映像・音声デコード部、７…音声出力部、１１…番組情報デコード部、１５…番組表データ生成部、１７…画面合成部、２１…表示部、２３…リモコン受光部、２５…制御部（ＣＰＵ）、２５ａ…表示制御部、２７…メモリ部、２７ａ…番組−ジャンル対応テーブル、３５…リモコン装置。
【発明を実施するための形態】
【００１７】
本明細書において、番組セルとは、例えば、時間軸とチャンネル軸とで画定される２次元的な多数のセルであって、該当する時間帯のチャンネルにおいて放送される番組を特定できる情報が記載される領域を指す。
【００１８】
本明細書では、電子番組表のセルの識別対象としてジャンルを例にして以下に説明するが、番組の特徴を示す特徴表示であれば、番組のジャンル以外に、番組の製作された年代、製作国、推奨番組であるか否か、などをセルに対する色の区別により示すことができるもの（例えば属性）であれば本発明の対象となる。
【００１９】
以下に、本発明の実施の形態による番組情報表示装置について、テレビジョン受信装置に備えられている場合を例にして説明する。
【００２０】
図１は、本実施の形態による番組情報表示装置を備えたデジタル放送受信装置の一構成例を示す機能ブロック図である。図１に示すデジタル放送受信装置は、アンテナから受信された放送信号から放送番組を選択するチューナなどを含むフロントエンド１と、多重化されている信号を映像信号と音声信号とに分けるデマルチプレクサ３と、暗号化されている映像信号と音声信号とをデコードする映像・音声デコード部５と、デコードされた音声を出力する音声出力部７と、デマルチプレクサ３からの出力から番組情報をデコードする番組情報デコード部１１と、番組情報から電子番組表（ＥＰＧ）データを生成する番組表データ生成部１５と、映像及び番組表示データなどを合成する画面合成部１７と、画面合成部１７で合成された映像を表示する表示部（ディスプレイ）２１と、を有している。
【００２１】
さらに、各機能部全体を制御する制御部（ＣＰＵ）２５と、各種処理をＣＰＵに実行させるためのプログラムなどを格納するメモリ部２７と、リモコン装置３５からのリモコン信号を受信するリモコン受光部２３と、を有している。
【００２２】
表示関係では、制御部２５において、表示部２１における電子番組表の表示を制御する表示制御部２５ａを有している。実際には、この機能は、メモリ部２７などに記憶されているプログラムによって実行されるのが一般的である。メモリ部２７には、番組とその属性、例えば番組のジャンルとの対応関係を記憶する、そして、番組の属性としてジャンルを表示する場合には、例えば、番組−ジャンル対応テーブル２７ａが備えられている。尚、番組の属性情報としては、視聴予約、録画予約済みであるか否かの情報、推奨番組である旨の情報、視聴制限されている番組であるか否かの情報なども含まれる。
【００２３】
図２は、リモコン装置３５の表面構成例を示す図である。図２に示すリモコン装置３５では、電源ボタン５１と、電子番組表を表示させた状態で視聴、予約などの処理の決定を行うための決定キー５５及び番組セルなどの移動を行うための方向キー５７からなるキー操作部５３と、各種の操作ボタン６１と、ＥＰＧを表示部に表示させるためのＥＰＧ表示ボタン６５と、を有している。操作手段は、一般的には図２に示すようなリモコン装置であるが、テレビジョン受信装置や記録再生装置の本体側に設けられている操作部であっても良い。
【００２４】
図３Ａは、本発明の一実施の形態による電子番組表の表示例を示す図である。表示部２１には、電子番組表のＥＰＧ表示３１がなされている。このＥＰＧ表示３１は、例えば、放送時間帯を示すための時間軸（縦軸）３７と放送のチャンネル番号を示すためのチャンネル（放送局）軸４１とによりＥＰＧ表示領域が画定されている。ＥＰＧ表示領域は、縦方向に延びる縦線及び横方向に延びる横線により時間と放送局により区分けされた多数の番組セル４５を有している。番組セル４５内には、放送波内のＥＩＴなどから番組情報デコード部１１を介して生成された番組情報に基づいて番組表データ生成部１５が生成した番組の情報（番組名、番組の副題、番組の出演者など）が表示される。ユーザは、番組セル内の情報と、時間及び放送局から、視聴したい番組又は録画したい番組などを方向キー５７などにより選択し、決定キー５５で視聴等の決定を行うことができる。符号４８は、現在、フォーカスが当てられている（フォーカス表示されている）番組セルを示している。
【００２５】
実際には、番組セル４５には、表示可能なだけの番組情報が表示されるが、この図では番組セル４５内に表示されている詳細な番組情報の記載は省略しており、４６Ａ〜４６Ｆまでの符号が付されている番組セル４５のみに番組情報Ｘ１からＸ６までを示しているが、実際には、番組セル毎に番組情報が表示されているのが一般的である。
【００２６】
この場合には、例えば、０１１チャンネルでは、５時台の番組情報Ｘ１、６時台の番組情報Ｘ２が対応する番組セル４５に表示されている。また、０２１チャンネルでは、５時台に多数の番組が短時間毎に放送されており、このような短時間番組の場合には、例えばＸ３で示す番組情報の一部のみが表示されている場合もある。さらに、チャンネル０６１には、１０時台の番組セルに番組情報Ｘ４が表示され、チャンネル０５１には、７時台の前半の番組セルに番組情報Ｘ５が表示されて、８時台には番組情報Ｘ６が表示されている。
【００２７】
表示制御部２５ａは、上記の番組表データ等に基づいて図３に示すようなデータ電子番組表を表示させる制御も行う。
【００２８】
図３Ａ及び図３Ｂ（ａ）に示すように、符号４７は、番組セル４５・４５の間に設けられ、番組セル４５とは独立に表示される番組のジャンル表示領域（番組セル４５間の中間溝と言うことも出来る）であり、このジャンル表示領域４７は、番組セル４５の領域に対して番組セル４５の領域外に付加される図形領域（一般的には矩形の領域など）である。すなわち、番組セル４５の領域に対して、ジャンル情報と対応しジャンル情報を識別できる色で番組のジャンルを示すジャンル表示領域４７は番組セル４５の領域外に配置するように制御される。すなわち、電子番組表の番組セル領域内ではない領域であって、番組セルと隣接する長さの行または列、または、その組み合わせの「溝」にジャンルに割当てた色を割当て行うようにするものである。また、後述するように、カーソル４８が番組セルにあたった場合には、そのカーソル４８があたる領域は、番組セル４５内に限定されており、ジャンル表示領域４７には当たらないようになっている。もちろん、ジャンル表示領域４７の一部入り込んでも良いが全体がフォーカスされることはないようになっている。
【００２９】
フォーカスが当てられている領域により番組セルを特定すれば、該当する番組セルの時間軸とチャンネル軸と依存する番組を装置が知ることができるため、フォーカスの当たっている番組の視聴、予約視聴、予約録画などを行うことが簡単にできる。また、その番組セル内の情報も知ることができるため、視聴履歴などを記憶する場合にも利用可能である。要するに、ジャンル表示以外の操作や処理に関しては、一般的な電子番組表の使い勝手を踏襲することができる。
【００３０】
ジャンル表示領域４７を形成する図形領域は、例えば、隣接する番組セル４５の境界領域に配置され、隣接する番組セル４５の境界線としても機能する領域である（符号Ｂで示す図を参照のこと）。尚、番組セル４５と番組のジャンル表示領域４７との対応関係は、番組−ジャンル対応テーブル２７ａに記憶されており、この番組−ジャンル対応テーブル２７ａにより、番組とジャンルとが対応付けされている。図３では、番組セル４５に隣接する時間軸上の境界領域（図では、その左側のみ）にジャンル表示領域４７が表示される例が示されている。
【００３１】
図３Ｂ（ｂ）に符号Ａで示すように、番組のジャンル（ドラマ、映画など）毎の色分け例を示すようにし、このようなジャンルの表示を、図３Ａの電子番組表３１中のジャンル表示領域４７に表示させる。尚、ジャンル表示領域４７において、ジャンルを色で区別しても良いし、ハッチなどの視覚的に識別可能な表示による区別を行うようにしても良い。
【００３２】
図３Ａに戻ってさらに詳細に説明すると、この電子番組表の表示例では、番組セルのうち、例えばジャンルが明確な番組情報Ｘ１の番組セルに対応するジャンル表示領域には番組のジャンルを示す表示（例えば色分け表示）がなされており、番組情報Ｘ１の番組セルに対応するジャンル表示領域にはジャンルを示す表示（例えば色分け表示）はなされていない。また、Ｘ３で示される番組情報が少ししか表示できないような短時間放送の番組セルにも、ジャンル表示領域にジャンルを示す表示を行うことができるため、番組情報が十分には表示できないような短時間番組の場合でも、番組のジャンルだけは、一目でわかるようになっており便利である。
【００３３】
さらに、Ｘ４からＸ６までで示すそれぞれの番組情報が示される番組セルにも、ジャンル表示領域に色分け表示がなされており、例えば、Ｘ５を表示される番組セルにフォーカス４８が当てられると、番組表表示欄の上の広い領域に、フォーカスが当てられている領域に対応するチャンネルと放送時間帯、放送番組名などの番組情報Ｘ５が大きく表示されるようになっており、現在フォーカスが当たっている番組であることが一目でわかるようになっている。
【００３４】
図４の符号Ｃでそれぞれ示される図は、番組セル４５と、ジャンル表示領域４７と、カーソルがあたる領域４５ａとの表示例を示す図である。図４（ａ）から図４（ｅ）までにおいて、左側の図は番組セル４５とジャンル表示領域４７との表示における２次元的な配置例を示す図であり、右側の図は、左側の図に示す番組セルにカーソル４５ａがあたった場合の表示例を示す図である。
【００３５】
図４（ａ）は、ジャンル表示領域４７が番組セル４５の左のみに配置されている表示例であり、図４（ｂ）は、ジャンル表示領域４７が番組セル４５の左４７ａと右４７ｂとの両方に同じ色の配置がなされている表示例（異なる色の組み合わせで属性を示す場合にはそのようにしても良い）であり、図４（ｃ）は、ジャンル表示領域４７が番組セル４５の左４７ａと上４７ｃとに配置されている表示例であり、図４（ｄ）は、ジャンル表示領域４７が番組セル４５の左４７ａと下４７ｄのみに配置されている表示例であり、図４（ｅ）は、ジャンル表示領域４７が番組セル４５の周囲４７ｂに配置されている表示例である。その他の配置例も含まれる。それぞれの図の右側の表示例に示すように、フォーカスされている領域４５ａは、基本的に、番組セル領域４５であり、ジャンル表示領域４７にはフォーカスは当てられていない。
【００３６】
このように、番組毎のセル間の縦ライン等をジャンル表示領域とし、このジャンル表示領域の表示色を、番組のジャンルにより色分けすることで番組のジャンルを簡単に知ることが出来る。さらに、その番組セルにカーソルを当てた場合に、カーソルの少なくとも一部の領域は、ジャンル表示領域に重ならないように表示させることで、カーソルがあたってもジャンル表示領域の色分けを識別することが容易となり、番組のジャンルを簡単に知ることができる利便性が保たれる。
【００３７】
図５は、図４の表示例を基本として、複数の番組セルが配置されている表示例について示す図である。図５（ａ）に示す表示例は、簡単な例として、３×３の番組セルからなる表示Ｃの一例を示す図である。この例では、図４（ｅ）に示す番組セルとジャンル表示とを有する場合を例として示しており、各番組セル４５に対して、その番組セル４５の周囲にジャンル表示４７ｅがなされている。この例では、番組セル４５とジャンル表示４７ｅと一対一で対応しているため、対応関係が一目瞭然であるという利点がある。図５（ｂ）に示す表示例では、番組セル４５に対して、その左にジャンル表示４７ｅが配置されている。この例では、配置の規則性をユーザが覚えておく必要があるが、図５（ａ）よりも全体として簡単な表示となっている。図５（ｃ）は、表示の変形例を示す図である。この図では、上左端の番組セル４５に、１時間に複数の短時間番組（この場合は、４５ａ、４５ｂ、４５ｃの３つの番組）が表示されており、それぞれは、実線ではなくそれとは異なる線、ここでは破線ＤＬによって時間軸に対して区切られており、この破線ＤＬは、ジャンル表示４７ａの領域にも延びている。そして、ジャンル表示においては、対応する短時間番組のジャンルの色が施されている。短時間番組の場合には、番組セルに十分な番組情報を表示させることは難しいが、このジャンルの色表示により、ある程度の補助的な情報をユーザに対して提供することができる。また、右中段の番組セルに示すように、短時間番組の場合には、そのうちの１つの番組（図では一番上の短時間番組）の番組セルにフォーカス４８が当てられると、１時間単位の領域全体に一番上のフォーカスの当たっている短時間番組のジャンル表示４５ｃが表示されるようにしても良い。リモコン操作によるフォーカスの移動につれて、対応する短時間番組のジャンル表示に切り替わる。このようにすると、短時間番組では見にくいジャンル表示の色を１時間などのより長い時間軸長まで拡大した領域に表示させることができるため、短時間番組のジャンル表示を見やすくすることができる。もちろん、ジャンル表示４５ｃにはフォーカスが当たならいようになっているのは上記と同じである。
【００３８】
図７は、本実施の形態による電子番組表の表示制御処理の流れを示すフローチャート図である。図７に示すように、まず、ステップＳ１において、図２に示すＥＰＧ表示ボタン６５が押されるなどしてテレビジョン装置側において電子番組表の表示処理が開始されると、ステップＳ２において、番組名などの番組情報から番組のジャンルを取得する（ジャンルがない場合には、この処理は終了する）。ジャンルの取得方法は限定されるものではないが、番組のタイトルなどから決定しても良いし、情報に含まれるジャンルをそのまま抽出するようにしても良い。
【００３９】
ステップＳ３において、各番組セルに番組名などを表示させる。ステップＳ４において、各番組セルに隣接する番組セル間のジャンル表示領域（番組セル間の中間溝、例えば縦線）に、番組のジャンルに対応する色を表示させる。ステップＳ３とＳ４との順番は任意である。ステップＳ５において、ある番組セルにフォーカスが当たると（Ｙｅｓ）、ステップＳ６において、フォーカスされた番組セルの色はフォーカスが当たったことを示すために変更するが、ジャンル表示領域の表示は変更しないように表示制御を行う。次いで、ステップＳ５に戻る。図７に示す処理は、継続して行われる。
【００４０】
図６は、本実施の形態の変形例による電子番組表の表示技術を示す図である。図６に示す電子番組表の表示例では、番組セル７１の領域の背景にジャンル表示の色が施されている。この番組セル７１に対してその領域よりも内側の領域にフォーカス７３が当てられるようになっている。すると、番組セル７１のうちフォーカス７３が当てられない領域７１ａが周囲（又は縦など図４に示す領域４７ａ等）に形成される。このように、フォーカスが当たる領域を番組セル領域よりも内側の領域に限定することで、番組セルの中にフォーカスが当てられても、周囲などのフォーカスの当てられない領域の色表示は見やすいためジャンルを識別しやすいという利点がある。
【００４１】
また、この場合に、番組にジャンル情報が付加されている場合には、フォーカス領域を番組セルの内側になるようにし、ジャンル情報が付加されていない場合には、番組セルの領域と同じ領域にフォーカスを当てるなど、ジャンル情報の有無によりフォーカス領域を変更するように制御しても良い。
【００４２】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００４３】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００４４】
また、「コンピュータシステム」は、ＷＷＷシステムを利用している場合であれば、ホームページ提供環境（あるいは表示環境）も含むものとする。
【００４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００４６】
本発明は、番組表示装置に利用可能である。【００４７】
本明細書で引用した全ての刊行物、特許および特許出願をそのまま参考として本明細書にとり入れるものとする。
【図１】
2010150689.tif 000003
【図２】
2010150689.tif 000004
【図３Ａ】
2010150689.tif 000005
【図３Ｂ】
2010150689.tif 000006
【図４】
2010150689.tif 000007
【図５】
2010150689.tif 000008
【図６】
2010150689.tif 000009
【図７】
2010150689.tif 000010
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
（削除）
【請求項２】
少なくとも放送時間とチャンネル番号とを含む番組情報に基づいて、時間軸とチャンネル軸とにより画定される番組セルを有する電子番組表を表示させる番組情報表示装置であって、
前記番組セルの領域に対して、番組のジャンル情報と対応し前記ジャンル情報を識別できる色で番組のジャンルを示すジャンル表示領域を、前記番組セルの領域外に配置する制御を行う表示制御部を有することを特徴とする番組情報表示装置において、
前記ジャンル表示領域は時間軸に沿った領域に形成されており、
前記表示制御部は、前記番組セル内に複数の短時間番組が存在する場合において、前記短時間番組のいずれかにフォーカスがあたった場合には、前記番組セルの時間軸幅にわたって前記フォーカスのあたった領域の番組のジャンルを示す色表示がなされることを特徴とする番組表示装置。
【請求項３】
前記表示制御部は、前記ジャンル表示領域における色表示を、前記番組セルにフォーカスを当てたことを示すフォーカス表示とは独立した表示とすることを特徴とする請求項２に記載の番組情報表示装置。
【請求項４】
前記ジャンル表示領域は、前記時間軸と前記チャンネル軸との少なくともいずれかと重なることを特徴とする請求項２又は３に記載の番組情報表示装置。
【請求項５】
前記ジャンル表示領域は、前記フォーカス領域とは少なくとも一部の領域で重ならないことを特徴とする請求項３又は４に記載の番組情報表示装置。
【請求項６】
（削除）
【請求項７】
請求項２から５までのいずれか１項に記載の番組表示装置を備えたデジタル放送受信装置。
【請求項８】
少なくとも放送時間とチャンネル番号とを含む番組情報に基づいて、時間軸とチャンネル軸とにより画定される番組セルを有する電子番組表を表示させる番組情報表示方法であって、
前記番組セルの領域に対して、番組のジャンル情報と対応し前記ジャンル情報を識別できる色で番組のジャンルを示すジャンル表示領域を、前記番組セルの領域外に配置する制御を行う番組情報表示方法において、
前記ジャンル表示領域は時間軸に沿った領域に形成されており、
前記番組セル内に複数の短時間番組が存在する場合において、前記短時間番組のいずれかにフォーカスがあたった場合には、前記番組セルの時間軸幅にわたって前記フォーカスのあたった領域の番組のジャンルを示す色表示がなされることを特徴とする番組情報表示方法。
【請求項９】
請求項８に記載の番組情報表示方法をコンピュータに実行させるためのプログラム。
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
少なくとも放送時間とチャンネル番号とを含む番組情報に基づいて、時間軸とチャンネル軸とにより画定される番組セルを有する電子番組表を表示させる番組情報表示装置であって、
前記番組セルの領域に対して、番組のジャンル情報と対応し前記ジャンル情報を識別できる色で番組のジャンルを示すジャンル表示領域を、前記番組セルの領域外に配置する制御を行う表示制御部を有することを特徴とする番組情報表示装置において、
前記ジャンル表示領域は時間軸に沿った領域に形成されており、
前記表示制御部は、前記番組セル内に複数の短時間番組が存在する場合において、前記短時間番組のいずれかにフォーカスがあたった場合には、前記番組セルの時間軸幅にわたって前記フォーカスのあたった領域の番組のジャンルを示す色表示がなされることを特徴とする番組情報表示装置。
【請求項２】
前記表示制御部は、前記ジャンル表示領域における色表示を、前記番組セルにフォーカスを当てたことを示すフォーカス領域とは独立した表示とすることを特徴とする請求項１に記載の番組情報表示装置。
【請求項３】
前記ジャンル表示領域は、前記時間軸と前記チャンネル軸との少なくともいずれかと重なることを特徴とする請求項１又は２に記載の番組情報表示装置。
【請求項４】
前記ジャンル表示領域は、前記フォーカス領域とは少なくとも一部の領域で重ならないことを特徴とする請求項２又は３に記載の番組情報表示装置。
【請求項５】
請求項１から４までのいずれか１項に記載の番組情報表示装置を備えたデジタル放送受信装置。
【請求項６】
少なくとも放送時間とチャンネル番号とを含む番組情報に基づいて、時間軸とチャンネル軸とにより画定される番組セルを有する電子番組表を表示させる番組情報表示方法であって、
前記番組セルの領域に対して、番組のジャンル情報と対応し前記ジャンル情報を識別できる色で番組のジャンルを示すジャンル表示領域を、前記番組セルの領域外に配置する制御を行う番組情報表示方法において、
前記ジャンル表示領域は時間軸に沿った領域に形成されており、
前記番組セル内に複数の短時間番組が存在する場合において、前記短時間番組のいずれかにフォーカスがあたった場合には、前記番組セルの時間軸幅にわたって前記フォーカスのあたった領域の番組のジャンルを示す色表示がなされることを特徴とする番組情報表示方法。
【請求項７】
請求項６に記載の番組情報表示方法をコンピュータに実行させるためのプログラム。
【国際調査報告】
2010150689.tif 000011
2010150689.tif 000012